【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
モバイルコンピューティング装置のディスプレイがロックされている間に受信されるデータを隔離するシステムであって、
モバイルコンピューティング装置のディスプレイがロックされている間に前記モバイルコンピューティング装置によってユーザーから獲得される複数のコンテンツ項目を格納する第１のメモリー領域と、
前記第１のメモリー領域からの前記複数のコンテンツ項目のうち１つ以上を格納する、前記第１のメモリー領域と分離した第２のメモリー領域と、
前記第１のメモリー領域に格納された前記コンテンツ項目の各々についての転送動作を決定し、
前記ディスプレイのロックを解除するコマンドを受信し、
前記受信されたコマンドに応答して前記ディスプレイのロックを解除し、
前記ディスプレイのロックの解除に応答して、前記第１のメモリー領域からの前記複数のコンテンツ項目に対して前記決定された転送動作を適用して、前記第１のメモリー領域から前記第２のメモリー領域へ前記複数のコンテンツ項目のうち１つ以上を転送する
ようにプログラムされたプロセッサーと
を具備するシステム。
【請求項２】
前記第１のメモリー領域は、前記ディスプレイがロックされる場合、前記ユーザーにとって利用可能な機能について記述する設定データをさらに格納する請求項１に記載のシステム。
【請求項３】
前記設定データは、前記ディスプレイがロックされている間に実行のために利用可能なアプリケーションプログラムを識別し、前記アプリケーションプログラムは、実行されると、前記コンテンツ項目の１つ以上を獲得して前記第１のメモリー領域に格納する請求項２に記載のシステム。
【請求項４】
前記設定データは前記アプリケーションプログラムの機能の部分集合を規定する請求項３に記載のシステム。
【請求項５】
前記コンテンツ項目は、電子メールメッセージ、音声メールメッセージ、テキストメッセージ、及び前記モバイルコンピューティング装置に関連付けられるカメラによって撮られた画像のうちの１つ以上に関連する請求項１に記載のシステム。
【請求項６】
前記モバイルコンピューティング装置の前記ディスプレイがロックされている間に獲得されるコンテンツ項目を隔離する手段をさらに具備する請求項１に記載のシステム。
【請求項７】
前記ユーザーが前記第１のメモリー領域から前記第２のメモリー領域への転送の前に前記コンテンツ項目をレビューすることを可能にする手段をさらに具備する請求項１に記載のシステム。
【請求項８】
ユーザーの計算装置のディスプレイがロックされている間に、前記計算装置が、１つ以上のコンテンツ項目を受信するステップと、
前記受信されたコンテンツ項目の各々について転送基準を規定するステップと、
前記計算装置の第１のメモリー領域に前記受信されたコンテンツ項目を格納するステップと、
前記ディスプレイのロックを解除するコマンドを受信するステップと、
前記受信されたコマンドに応答して前記ディスプレイのロックを解除するステップと、
前記規定された転送基準に基づいて、前記ロック解除に応答して、前記ユーザーからの入力なしに、前記第１のメモリー領域から前記計算装置の第２のメモリー領域へ前記コンテンツ項目の１つ以上を転送するステップであって、前記第１のメモリー領域は前記第２のメモリー領域から隔離される、ステップと
を含む方法。
【請求項９】
前記ディスプレイがロックされる場合に前記計算装置の前記ユーザーにとって利用可能な機能について記述する設定データを規定するステップをさらに含む請求項８に記載の方法。
【請求項１０】
前記設定データを規定するステップは前記ディスプレイがロックされている間に実行のためのアプリケーションプログラムを識別するステップを含む請求項９に記載の方法。
【請求項１１】
前記１つ以上のコンテンツ項目を受信するステップは、前記ディスプレイがロックされている間に前記計算装置の前記ユーザーから前記コンテンツ項目の１つ以上を受信するステップを含む請求項８に記載の方法。
【請求項１２】
前記１つ以上のコンテンツ項目を受信するステップは、前記ディスプレイがロックされている間にコンテンツプロバイダーから前記コンテンツ項目の１つ以上を受信するステップを含む請求項８に記載の方法。
【請求項１３】
前記規定された転送基準は手動の確認を規定し、前記第１のメモリー領域から前記第２のメモリー領域へ前記コンテンツ項目の１つ以上を転送するよう前記計算装置の前記ユーザーに促すステップをさらに含む請求項８に記載の方法。
【請求項１４】
前記コンテンツ項目を転送するステップは、前記計算装置の前記ユーザーからの確認なしに、前記コンテンツ項目の１つ以上を転送するステップを含む請求項８に記載の方法。
【請求項１５】
前記転送されたコンテンツ項目は１つ以上のアプリケーションプログラムに関連付けられ、前記ロック解除の後に前記アプリケーションプログラムを実行するステップをさらに含む請求項８に記載の方法。
【請求項１６】
前記ディスプレイがロックされている間に、前記ロックされたディスプレイを介して、前記計算装置上で利用可能な１つ以上のアプリケーションプログラムの表現を提供するステップをさらに含み、前記表現はツールバーとして提供される請求項８に記載の方法。
【請求項１７】
コンピューター実行可能なコンポーネントを有する１つ以上のコンピューター記憶媒体であって、前記コンポーネントは、
少なくとも１つのプロセッサーによって実行されると、前記少なくとも１つのプロセッサーに、計算装置が第１の状態にある間に前記計算装置上での実行に利用可能な１つ以上のアプリケーションプログラムを識別する設定データへアクセスさせる、プロフィールコンポーネントと、
少なくとも１つのプロセッサーによって実行されると、前記計算装置が前記第１の状態にある間に前記少なくとも１つのプロセッサーに１つ以上のコンテンツ項目を受信させるインターフェースコンポーネントであって、前記インターフェースコンポーネントは前記アプリケーションプログラムを介して前記コンテンツ項目を受信する、インターフェースコンポーネントと、
少なくとも１つのプロセッサーによって実行されると、前記少なくとも１つのプロセッサーに、前記インターフェースコンポーネントによって受信された前記コンテンツ項目を第１のメモリー領域に格納させる、メモリーコンポーネントと、
少なくとも１つのプロセッサーによって実行されると、前記第１のメモリー領域から前記第１のメモリー領域とは分離された第２のメモリー領域へ前記コンテンツ項目の１つ以上を移動させるために、第２の状態への前記計算装置の移行に応答して、前記少なくとも１つのプロセッサーに転送基準を評価させる、フィルターコンポーネントと
を含むコンピューター記憶媒体。
【請求項１８】
前記フィルターコンポーネントは、前記計算装置を前記第２の状態へ移行させるコマンドを受信し、前記受信されたコマンドに応答して前記計算装置を前記第２の状態へ移行させる請求項１７に記載のコンピューター記憶媒体。
【請求項１９】
前記コンテンツ項目の少なくとも１つは製品識別子を含み、前記転送基準の１つ以上はオンライン商人を識別し、前記フィルターコンポーネントは前記オンライン商人に関連付けられるウェブページを得て前記計算装置のユーザーに提供する請求項１７に記載のコンピューター記憶媒体。
【請求項２０】
前記第１の状態は前記計算装置のロックされた状態に対応し、前記第２の状態は前記計算装置のロックを解除された状態に対応する請求項１７に記載のコンピューター記憶媒体。